(57)【特許請求の範囲】
【請求項１】
壁状建築物であって、前記壁状建築物の壁面に、一方の側辺を軸に回転自在に取り付けられている間仕切り部材および該間仕切り部材の他方の側辺に折り畳み自在に接続されている壁状部材が、複数組並んで設けられており、各組の間仕切り部材の前記他方の側辺には隣の組の壁状部材を開閉可能に取り付ける戸当たり部材を有しており、
前記間仕切り部材および壁状部材は壁面から離されて、前記壁面と、前記間仕切り部材および壁状部材と、前記壁状部材に対応する前記戸当たり部材を有している隣の組の間仕切り部材と、によって囲いこみ状態を構成し、前記壁状部材が開閉自在な扉を構成することを特徴とする壁状建築物。
【請求項２】
壁状建築物の壁面に添って複数組並べて設けて使用される各組の部材を集合体として単一化したユニットであって、
前記ユニットは前記壁面に、間仕切り部材および壁状部材並びに支柱を主要部材として構成され、前記間仕切り部材の一方の側辺と前記壁状部材とは折り畳み自在に接続され、前記間仕切り部材の他方の側辺は、前記支柱回りに回転自在に取り付けられており、前記支柱は前記壁面に取り付け可能になっており、
前記間仕切り部材の前記他方の側辺には、別のユニットを隣接して設けた場合に該別のユニットの壁状部材を開閉自在の扉として取り付ける戸当たり部材を設けたことを特徴とするユニット。
【発明の詳細な説明】
【技術分野】
【０００１】
壁状建築物であって、必要に応じ囲塞式建築物となり得る建築物に関する。
【背景技術】
【０００２】
震災などの災害時にまっさきに食料衣料が問題視されるが、それにも増して即時的に問題になるのが用便の問題である。
【０００３】
このため、個人用の携帯・簡易トイレ等が考案され、また不特定多人数用に移動可能な車載トイレや仮設トイレが考案実施されている。
特に不特定多人数用の車載トイレや仮設トイレは、平時には保管場所を要する等の維持費用が高価につき、また、緊急時に運搬を要することから即時の用に耐えうるか否かの問題があり、さらに、使用期間も長期に渡って使用できるものではない。
【０００４】
また、下水のマンホールを利用した各種の緊急トイレが考案されているが、単に下水のマンホールを利用しただけのトイレでは、衆人の視線があることから、目隠し機能を有する何等かの囲塞設備が必要であり、このためテント式や組立パネル式等の囲塞設備も考案されている。
しかし、テント式の囲塞設備では簡単に運搬し施設できるものの、布製であることに起因する防犯性や耐用期間等に難点があり、また平時の保管に問題があり、さらに使用後の廃却が問題となる。
また、必要時に組み立てるパネル式の囲塞設備も考案されているが、組立に手間暇が掛かり、また、ある程度の技量を要する場合が多く、平時の保管に関してはテント式以上に問題となる。
【０００５】
したがって、平時の維持費用が軽減でき、緊急時には使用可能期間に制限が無く、衆人の視線を気にしないで済み、且つ多数の人が一時にいつでも利用できる緊急トイレが望まれている。
【０００６】
【特許文献１】特許電子図書館の公報テキスト検索（公開特許公報）で、以下の条件で検索したが、該当すると思料できるものはありません。                                        「要約と請求の範囲」  「トイレ  便所」                              ＡＮＤ  「要約と請求の範囲」  「非常  緊急」                                        発見された件数は、２７３件
【発明の開示】
【発明が解決しようとする課題】
【０００７】
本願発明の目的は、平時には壁状建築物としてそれ相応の用途を有するが、緊急時には囲塞式建築物となり、緊急トイレとなり得る建築物を提供することにある。
【０００８】
本願発明のさらなる主たる目的は、緊急時には囲塞式建築物となる建築物でありながら、衆人の視線を気にすることなく、多数の人が一時に、かつ、いつでも利用でき、さらに防犯性の高い緊急トイレとなり得る建築物を提供することにある。
【課題を解決するための手段】
【０００９】
上記目的を達成するために請求項１の発明は、壁状建築物であって、前記壁状建築物の壁面に、一方の側辺を軸に回転自在に取り付けられている間仕切り部材および該間仕切り部材の他方の側辺に折り畳み自在に接続されている壁状部材が、複数組並んで設けられており、各組の間仕切り部材の前記他方の側辺には隣の組の壁状部材を開閉可能に取り付ける戸当たり部材を有しており、前記間仕切り部材および壁状部材は壁面から離されて、前記壁面と、前記間仕切り部材および壁状部材と、前記壁状部材に対応する前記戸当たり部材を有している隣の組の間仕切り部材と、によって囲いこみ状態を構成し、前記壁状部材が開閉自在な扉を構成するものである。
【００１０】
上記目的を達成するために請求項２の発明は、壁状建築物の壁面に添って複数組並べて設けて使用される各組の部材を集合体として単一化したユニットであって、前記ユニットは前記壁面に、間仕切り部材および壁状部材並びに支柱を主要部材として構成され、前記間仕切り部材の一方の側辺と前記壁状部材とは折り畳み自在に接続され、前記間仕切り部材の他方の側辺は、前記支柱回りに回転自在に取り付けられており、前記支柱は前記壁面に取り付け可能になっており、前記間仕切り部材の前記他方の側辺には、別のユニットを隣接して設けた場合に該別のユニットの壁状部材を開閉自在の扉として取り付ける戸当たり部材を設けたものである。
【発明の効果】
【００１１】
平時には壁状建築物とし、壁面に間仕切り部材・壁状部材を折り畳んだことから、別途保管場所を設ける必要がない。
【００１２】
また、固定された壁に取り付けられた支柱の回りに間仕切り部材は回転自在に取り付けられ、さらに、間仕切り部材と壁状部材とは蝶番等で折り畳み自在に接続されて一体性を持たせたことから、組立式パネル構造と異なり、引き出し・展開・一部固定するだけの手順で、一人でも短時間で簡易に囲塞式建築物とすることができる。
【００１３】
平時には壁状建築物としたことから、平時には駐輪場など、出入の多い物の保管場所として利用でき、維持費用の軽減はもとより、設備費用を償却することも可能であり、運営利益を得ることも可能である。
なお、平常から囲塞式建築物として保管・防災・備蓄倉庫として利用することも可能である。
【００１４】
また、間仕切り部材・壁状部材等をユニット化したことから、新設の壁状建築物にも利用しやすくするとともに、既存の建築物の壁面を利用して簡便に設置することもできる。
【００１５】
緊急時には、工具も必要とせずに簡単に囲塞式建築物とすることができることから、間仕切り・施錠可能な開閉自在なドア（扉）のある囲塞式仮設トイレとして利用可能となる。
特に、間仕切り部材・壁状部材は鋼を主構成材とすることから堅牢であって、強風や風雪に強固なものとすることができ、さらに、目隠し機能の優れた防犯性の高いものとすることができる。
【００１６】
なお、本願発明においては、間仕切り部材または壁状部材に戸当たり部材を設けたことから、目隠し機能が高められて利用者の羞恥心を緩和でき、また間仕切りと扉を構成する壁のロック性が高められ、さらに囲塞式建築物としても剛性が高くなり堅固なものとすることができる。
【００１７】
さらに、本願発明を利用した緊急トイレは、車載トイレや仮設トイレと異なり、緊急時に即刻使用可能となり、しかもメンテナンスを必要とせずに長期間に渡っての使用が可能となる。
【００１８】
さらに、本願発明を利用した緊急トイレは、テント式トイレと異なり、使用後も廃却する物が発生しないという環境にやさしい効果もある。
【００１９】
更に、一定の場所に設置されるものであるから、日頃から、緊急用仮設トイレとなる旨、周知させておくことができる。
【発明を実施するための最良の形態】
【００２０】
図１は、壁状建築物に折り畳まれた間仕切り部材および壁状部材の実施例を示す。
図２は、壁状建築物の壁面に畳み込まれていた間仕切り部材および壁状部材が壁面から引き出され、展開され、一部ロックされながら（詳細省略）、間仕切りおよび壁となり、囲塞式建築物となった状態の実施例を示す。
図３は、壁状建築物の壁面に使用されるユニットの実施例を示す。
図４は、上記ユニットを構成する間仕切り部材および壁状部材が引き出され、展開され、一部ロックされながら（詳細省略）、間仕切りおよび壁となり、囲塞式建築物となった状態（一部）を示す。
【００２１】
図１は、代表的な実施例として、ユニット２０を、壁状建築物１０に設けた状況を示す。
ユニットは、図３・図４に示すように、支柱２１・間仕切り部材２３および壁状部材２４を主要部材として構成され、間仕切り部材は、支柱回りに回転自在となるように、ピン２２で支柱に取り付けられ、また、間仕切り部材と壁状部材は蝶番２６で折り畳み自在に接続され、さらに、本実施例では戸当たり部材２７が間仕切り部材に取り付けられている。
なお、戸当たり部材は壁状部材に取り付けることも可能である（詳細省略）。
また、蝶番の箇所は目隠し機能を持たせるため適宜目張りが施されている（図示省略）。
本実施例（図１・図２）では、壁状建築物の壁面に遮蔽壁面１２が設けられ、緊急時には該遮蔽壁面が間仕切り部材を兼用して囲塞区画を構成するようになっている。
なお、通常は、利便性を高めるため、屋根（図示省略）が設けられる場合が多い。
床面はコンクリート仕上げされ、緊急トイレ兼用マンホール３２が埋め込まれている。
【００２２】
緊急時には、図４に示すように、間仕切り部材２３と壁状部材２４とが支柱２１回りに引き出され、間仕切り部材は床面にロックされ（詳細省略）、壁状部材は開閉自在な施錠（詳細省略）付ドア（扉）として使用に供される。
【００２３】
なお、実施例では、間仕切り部材２３に戸当たり部材２７を設けることにより（図３）、ドア（扉）としてのロック性を高め（詳細省略）、衆人の視線からの遮断性を良くし、さらに間仕切り部材の剛性を上げて囲塞式建築物としての堅牢性を高めている。
【産業上の利用可能性】
【００２４】
本願発明は、平時には壁状建築物としてそれ相応の用途を有し、かつ、緊急時には囲塞式建築物となり得る建築物であることから、産業上の利用可能性に資すること大なるものがある。
【００２５】
また、本願発明は、前以って工場で生産され、さらに設置にあたっては、土木建築産業に資することができることから、産業上の利用可能性は極めて高いものである。
【００２６】
さらに、本願発明は、既存の建築物の壁面を利用して設置することも可能であることから、適用範囲が広く、産業上の用可能性が極めて高いものである。
【００２７】
その上、本願発明は、耐久性が高く、再使用も可能なものであるから、環境にやさしいものであり、環境保護に合致した産業にとっても利用可能性が高いものである。
【図面の簡単な説明】
【００２８】
【図１】平時の壁状建築物に折り畳まれた間仕切り部材および壁状部材の実施例を示す斜視図である。
【図２】緊急時に緊急トイレとして使用される場合の囲塞式建築物状態の実施例を示す斜視図である。
【図３】壁状建築物の壁面に使用されるユニットの実施例を示す斜視図である。
【図４】ユニットを構成する間仕切り部材および壁状部材が引き出され、囲塞式建築物となった状態（一部）を示す斜視図である。
【符号の説明】
【００２９】
１０    壁状建築物
１２    遮蔽壁面
２０    ユニット
２１    支柱
２２    ピン
２３    間仕切り部材
２４    壁状部材（施錠付き開閉自在ドア（扉））
２６    蝶番
２７    戸当たり部材
３２    緊急トイレ兼用マンホール
【図１】
0005165401.tif 000002
【図２】
0005165401.tif 000003
【図３】
0005165401.tif 000004
【図４】
0005165401.tif 000005